【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
インクを吐出する記録ヘッドを搭載し、移動可能なキャリッジと、
前記キャリッジの位置に応じて設定された動作を行う回復ユニットと、
前記キャリッジの移動を制御する制御ユニットと、
を備えた記録装置であって、
前記回復ユニットは、
前記キャリッジの移動に連動して、前記記録ヘッドのインク吐出面を被覆する被覆位置と、前記インク吐出面から退避した退避位置との間で移動可能なキャップと、
前記キャップ内を大気に連通させる大気連通部と、
前記キャリッジの移動に連動して、前記大気連通部を開閉するバルブと、を含み、
前記制御ユニットは、
予め定めた条件が成立した場合に、前記キャリッジを所定の待機位置に移動させ、
前記キャリッジが前記待機位置に位置している場合、前記キャップは前記被覆位置に位置し、前記バルブは前記大気連通部を開放する、
ことを特徴とする記録装置。
【請求項２】
インクを吐出する第１の記録ヘッドを含む複数の記録ヘッドを搭載し、移動可能なキャリッジと、
前記キャリッジの位置に応じて設定された動作を行う回復ユニットと、
前記キャリッジの移動を制御する制御ユニットと、
を備えた記録装置であって、
前記回復ユニットは、
前記キャリッジの移動に連動して、前記第１の記録ヘッドのインク吐出面を被覆する被覆位置と、前記インク吐出面から退避した退避位置との間で移動可能なキャップと、
前記キャップ内を大気に連通させる大気連通部と、
前記キャリッジの移動に連動して、前記大気連通部を開閉するバルブと、を含み、
前記制御ユニットは、
予め定めた条件が成立した場合に、前記キャリッジを所定の待機位置に移動させ、
前記キャリッジが前記待機位置に位置している場合、前記キャップは前記被覆位置に位置し、前記バルブは前記大気連通部を開放する、
ことを特徴とする記録装置。
【請求項３】
請求項１又は２記載の記録装置であって、
前記回復ユニットは、
前記制御ユニットに制御され、前記キャップ内を吸引する吸引ユニットを含み、
前記制御ユニットは、
前記条件が成立した場合に、空吸引位置に前記キャリッジを移動させてから前記待機位置に移動させ、
前記キャリッジが前記空吸引位置に位置している場合、
前記キャップは前記被覆位置に位置し、前記バルブは前記大気連通部を開放し、前記制御ユニットは、前記吸引ユニットに前記キャップ内を吸引させる、
ことを特徴とする記録装置。
【請求項４】
請求項１又は２記載の記録装置であって、
前記回復ユニットは、
前記制御ユニットに制御され、前記キャップ内を吸引する吸引ユニットを含み、
前記制御ユニットは、
前記条件が成立した場合に、第１及び第２の空吸引位置に前記キャリッジを移動させてから前記待機位置に移動させ、
前記キャリッジが前記第１の空吸引位置に位置している場合、
前記キャップは前記退避位置に位置し、前記バルブは前記大気連通部を閉塞し、前記制御ユニットは、前記吸引ユニットにより前記キャップ内を吸引させ、
前記キャリッジが前記第２の空吸引位置に位置している場合、
前記キャップは前記被覆位置に位置し、前記バルブは前記大気連通部を開放し、前記制御ユニットは、前記吸引ユニットに前記キャップ内を吸引させる、
ことを特徴とする記録装置。
【請求項５】
インクを吐出する第１及び第２の記録ヘッドを搭載し、移動可能なキャリッジと、
前記キャリッジの位置に応じて設定された動作を行う回復ユニットと、
前記キャリッジの移動を制御する制御ユニットと、
を備えた記録装置であって、
前記回復ユニットは、
前記キャリッジの移動に連動して、前記第１の記録ヘッドのインク吐出面を被覆する被覆位置と、前記インク吐出面から退避した退避位置との間で移動可能な第１のキャップと、
前記キャリッジの移動に連動して、前記第２の記録ヘッドのインク吐出面を被覆する被覆位置と、前記インク吐出面から退避した退避位置との間で移動可能な第２のキャップと、
前記第１のキャップ内を大気に連通させる第１の大気連通部と、
前記第２のキャップ内を大気に連通させる第２の大気連通部と、
前記キャリッジの移動に連動して、前記第１の大気連通部を開閉する第１のバルブと、
前記キャリッジの移動に連動して、前記第２の大気連通部を開閉する第２のバルブと、
前記制御ユニットに制御され、前記第１及び第２のキャップ内を吸引する吸引ユニットと、を含み、
前記制御ユニットは、
予め定めた条件が成立した場合に、前記キャリッジを所定の待機位置に移動させ、
前記キャリッジが前記待機位置に位置している場合、
前記第１及び第２のキャップは前記被覆位置に位置し、
前記第１のバルブは前記第１の大気連通部を開放し、前記第２のバルブは前記第２の大気連通部を閉塞し、
前記制御ユニットは、前記吸引ユニットに前記第１及び第２のキャップ内を吸引させるか、又は、前記吸引ユニットに前記第２のキャップを大気に連通させる、
ことを特徴とする記録装置。
【請求項６】
請求項５記載の記録装置であって、
前記制御ユニットは、
前記条件が成立した場合に、空吸引位置に前記キャリッジを移動させてから前記待機位置に移動させ、
前記キャリッジが前記空吸引位置に位置している場合、
前記第１及び第２のキャップは前記被覆位置に位置し、
前記第１及び第２のバルブは前記第１及び第２の大気連通部を開放し、
前記制御ユニットは、前記吸引ユニットに前記第１及び第２のキャップ内を吸引させる、
ことを特徴とする記録装置。
【請求項７】
請求項５記載の記録装置であって、
前記制御ユニットは、
前記条件が成立した場合に、第１及び第２の空吸引位置に前記キャリッジを移動させてから前記待機位置に移動させ、
前記キャリッジが前記第１の空吸引位置に位置している場合、
前記第１及び第２のキャップは前記退避位置に位置し、
前記第１及び第２のバルブは前記第１及び第２の大気連通部を閉塞し、
前記制御ユニットは、前記吸引ユニットに前記第１及び第２のキャップ内を吸引させ、
前記キャリッジが前記第２の空吸引位置に位置している場合、
前記第１及び第２のキャップは前記被覆位置に位置し、
前記第１及び第２のバルブは前記第１及び第２の大気連通部を開放し、
前記制御ユニットは、前記吸引ユニットに前記第１及び第２のキャップ内を吸引させる、
ことを特徴とする記録装置。
【請求項８】
請求項７記載の記録装置であって、
前記回復ユニットは、
前記制御ユニットに制御され、前記第１及び第２の記録ヘッドの前記インク吐出面をワイピングするワイピングユニットを含み、
前記制御ユニットは、前記キャリッジを吸引位置とワイピング位置とに移動可能であり、
前記キャリッジが前記吸引位置に位置している場合、
前記第１及び第２のキャップは前記被覆位置に位置し、
前記第１のバルブは前記第１の大気連通部を閉塞し、前記第２のバルブは前記第２の大気連通部を開放し、
前記制御ユニットは、前記吸引ユニットに前記第１及び第２のキャップ内を吸引させ、
前記キャリッジが前記ワイピング位置に位置している場合、
前記第１及び第２のバルブは前記第１及び第２の大気連通部を閉塞し、
前記制御ユニットは、前記ワイピングユニットに前記第１及び第２の記録ヘッドの前記インク吐出面をワイピングさせる、
ことを特徴とする記録装置。
【請求項９】
請求項８記載の記録装置であって、
所定方向に順番に、前記第１の空吸引位置、前記ワイピング位置、前記吸引位置、前記第２の空吸引位置、前記待機位置が設定されている、
ことを特徴とする記録装置。
【請求項１０】
請求項５記載の記録装置であって、
前記第１の記録ヘッドは染料インクを吐出する記録ヘッドであり、
前記第２の記録ヘッドは顔料インクを吐出する記録ヘッドである、
ことを特徴とする記録装置。
【請求項１１】
インクを吐出する記録ヘッドを搭載し、移動可能なキャリッジと、
前記キャリッジの位置に応じて設定された動作を行う回復ユニットと、
を備え、
前記回復ユニットは、
前記キャリッジの移動に連動して、前記記録ヘッドのインク吐出面を被覆する被覆位置と、前記記録ヘッドから退避した退避位置との間で移動可能なキャップと、
前記キャップ内を大気に連通させる大気連通部と、
前記キャリッジの移動に連動して、前記大気連通部を開閉するバルブと、を含む記録装置の制御方法であって、
予め定めた条件が成立したか否かを判定する工程と、
前記条件が成立したと判定した場合に前記キャリッジをキャッピング放置位置に移動させる工程と、を含み、
前記キャリッジが前記キャッピング放置位置に位置している場合、前記キャップは前記被覆位置に位置し、前記バルブは前記大気連通部を開放する、
ことを特徴とする制御方法。
【手続補正２】
【補正対象書類名】明細書
【補正対象項目名】０００９
【補正方法】変更
【補正の内容】
【０００９】
本発明によれば、
インクを吐出する記録ヘッドを搭載し、移動可能なキャリッジと、
前記キャリッジの位置に応じて設定された動作を行う回復ユニットと、
前記キャリッジの移動を制御する制御ユニットと、
を備えた記録装置であって、
前記回復ユニットは、
前記キャリッジの移動に連動して、前記記録ヘッドのインク吐出面を被覆する被覆位置と、前記インク吐出面から退避した退避位置との間で移動可能なキャップと、
前記キャップ内を大気に連通させる大気連通部と、
前記キャリッジの移動に連動して、前記大気連通部を開閉するバルブと、を含み、
前記制御ユニットは、
予め定めた条件が成立した場合に、前記キャリッジを所定の待機位置に移動させ、
前記キャリッジが前記待機位置に位置している場合、前記キャップは前記被覆位置に位置し、前記バルブは前記大気連通部を開放する、
ことを特徴とする記録装置が提供される。
【手続補正３】
【補正対象書類名】明細書
【補正対象項目名】００１０
【補正方法】変更
【補正の内容】
【００１０】
本発明によれば、いわゆるキャッピング放置に関して、吸引動作を行う機構を利用しなくても、キャップ内を大気連通させることができる。